(57)【特許請求の範囲】
【請求項１】
開閉器の開放動作を制御する制御手段と、
前記制御手段又は当該制御手段に接続される線路への電波の混入を検知して電波検知信号を出力する電波検知手段と、
前記電波検知信号に基づいて前記制御手段の制御の適否を判断する制御判断手段とを備えることを
特徴とする開閉器の障害電波検出装置。
【請求項２】
前記請求項１に記載の開閉器の障害電波検出装置において、
前記電波検知手段により検知された電波の信号が、地絡事故発生に基づいて生じる信号と異なる場合に電波検知手段から電波検知信号を出力することを
特徴とする開閉器の障害電波検出装置。
【請求項３】
前記請求項１又は２に記載の開閉器の障害電波検出装置において、
前記電波検知手段が、開閉器の零相変流器からの出力線、開閉器の試験線、開閉器の制御線、制御手段の電源線のうち少なくとも一つをアンテナとし、当該アンテナに混入した電波を検知することを
特徴とする開閉器の障害電波検出装置。
【請求項４】
前記請求項１ないし３のいづれかに記載の開閉器の障害電波検出装置において、
前記制御手段により開閉器が開放された後に再度開閉器が投入されたことを条件として前記電波検知信号の表示をリセットすることを
特徴とする開閉器の障害電波検出装置。
【発明の詳細な説明】
【０００１】
【発明の属する技術分野】
本発明は開閉器の開放動作を制御する制御装置への電波の混入による障害電波を検出する開閉器の障害電波検出装置に関する。
【０００２】
【従来の技術】
従来、この種の開閉器の障害電波検出装置に類似するものとして特開平１０−１５５２３２号に開示される配電線の異常原因判定装置があり、これを図５に示す。同図における配電線の異常原因判定装置は、波形検出装置１７により検出された異常波形の波形種をホストコンピュータ１６により識別し、その識別した波形種に対応する異常原因をＣＲＴモニタ１９等の表示手段に表示する構成である。このように従来の配電線の異常原因判定装置は、異常波形のサンプルとなる波形を複数波形用意することなく、異常波形の異常原因を判定できる。その結果、コストの低減を図ることができると共に、素早い処理が可能となる。
【０００３】
【発明が解決しようとする課題】
従来の配電線の異常原因判定装置は以上のように構成されていたことから、ホストコンピュータ１６により異常波形の波形種を識別しなければならず、システム構成が大型化且つ複雑化するという課題を有する。特に、開閉器が地絡事故電流検出によりトリップ動作を行う制御システムにおいて、輸送トラック等に積載された違法な高出力無線機等から発射される強力な電波が前記制御システムに混入して地絡電流と誤って感知することとなり誤動作してしまうことがある。従来の装置は、このような障害電波を簡易な構成で確実に検出することができない。
【０００４】
また、極めて広範囲に多くの地点に設置される開閉器の各々について障害電波を簡易な構成で検出できず、この各開閉器のトリップ動作が電波の混入により実行された場合にその誤動作の原因を判別することができず復旧に長時間を要するという課題を有する。
本発明は、前記課題を解消するためになされたもので、開閉器及び制御装置の障害電波を簡易且つ確実に検出し、誤動作の原因を確実に判別して復旧を迅速化できる開閉器の障害電波検出装置を提供することを目的とする。
【０００５】
【課題を解決するための手段】
本発明に係る開閉器の障害電波検出装置は、開閉器開放動作を制御する制御手段と、前記制御装置又は当該制御装置に接続される線路への電波の混入を検知して電波検知信号を出力する電波検知手段と、前記電波検知信号に基づいて前記制御手段の制御の適否を判断する制御判断手段とを備えるものである。このように本発明においては、制御手段に混入した電波を電波検知手段が検知して電波検知信号を出力し、この電波検知信号に基づいて制御判断手段が制御手段による開閉器の開放動作の適否を判断するようにしているので、混入した電波による開閉器の障害電波を簡易且つ確実に検出し、開閉器の誤動作原因を判別して復旧の迅速化が図れる。
【０００６】
本発明に係る開閉器の障害電波検出装置は必要に応じて、電波検知手段が検知した信号が、地絡事故発生に基づいて生じる信号と異なる場合に電波検知信号を出力するものである。このように本発明においては、地絡事故による信号と検知した信号が異なる場合に電波検知手段から電波検知信号を出力するようにしているので、本来の地絡事故を明確に区別できることとなり、より確実に開閉器の誤動作原因を判別できることとなる。
【０００７】
本発明に係る開閉器の障害電波検出装置は必要に応じて、電波検知手段が、開閉器の零相変流器からの出力線、開閉器の試験線、開閉器の制御線、制御手段の電源線のうち少なくとも一つをアンテナとし、当該アンテナに混入した電波を検知するものである。このように本発明においては、開閉器又は制御手段の各線路に混入した電波を検知するようにしているので、開閉器の誤動作の原因となる電波が混入する線路をアンテナとして使用できることとなり、より簡易且つ確実に開閉器の障害電波を検知できる。
【０００８】
本発明に係る開閉器の障害電波検出装置は必要に応じて、制御手段により開閉器が開放された後に再度開閉器が投入されたことを条件として前記電波検知信号の表示をリセットするものである。このように本発明においては、電波検知信号を表示し、開閉器の再投入を条件として表示状態をリセットすることにより、開閉器の開放動作の適否を判断した後に自動的に障害電波検出モードに移行できることとなる。
【０００９】
【発明の実施の形態】
以下、本発明の一実施形態に係る開閉器の障害電波検出装置を図１ないし図４に基づいて説明する。この図１は本実施形態に係る開閉器の障害電波検出装置の全体ブロック構成図、図２は図１に記載する開閉器の障害電波検出装置の障害電波検出の動作フローチャート、図３は図２に記載するフローチャートに対応する信号タイミングチャートを示す。
【００１０】
前記各図において本実施形態に係る開閉器の障害電波検出装置は、開閉器１の開放動作を制御する地絡継電器２と、この地絡継電器２への電波の混入を検知して電波検知信号を出力する電波検知部３と、この電波検知信号に基づいて前記地絡継電器２の制御の適否を判断する制御判断部４とを備える構成である。前記地絡継電器２は開閉器１のＺＣＴ１１から出力される地絡電流を検出する地絡電流検出回路２１と、この検出された地絡電流に基づいて開閉器１の主接触１２を開放させるトリップ動作の駆動信号をトリップコイル１３へ出力する駆動制御部２２とを備える構成である。
【００１１】
前記電波検知部３は、地絡継電器２に混入する電波を受信するアンテナ３０と、この受信された電波の所定帯域のみを通過させるフィルタ回路３１と、この通過した電波を検波する検波回路３２と、この検波した電波信号を増幅する増幅回路３３と、この増幅された電波信号を予め設定された基準値と比較して電波検知信号として出力するレベル比較回路３４とを備える構成である。このレベル比較回路３４の基準値は、例えば輸送トラックに積載された高出力無線機から発射される強力な電波のみを検出することを目的として２７［MHz］帯、５ｍ離れた位置で出力２００Ｗの電界強度とすることもできる。
【００１２】
前記制御判断部４は、駆動制御部２２から出力される駆動信号及びレベル比較回路３４から出力される電波検知信号に基づいて地絡継電器２の制御の適否を判断する構成である。この判断結果は、表示部５に電波が原因でトリップ動作したことを示し、また、受信した電波の強度を表示する。また、この情報は出力部６から監視センタ（図示を省略）へ通信線、一般電話回線、又はＰＨＳ回線等の無線通信を介して送信する構成とすることもできる。
【００１３】
次に、前記構成に基づく本実施形態に係る開閉器の障害電波検出装置の障害電波検出動作について説明する。まず、地絡電流検出動作については開閉器１内に配設されたＺＣＴ１１からの地絡電流信号を地絡継電器２の地絡電流検出回路２１が検出し、この検出された地絡電流信号により駆動制御部２２が地絡事故と判断して開閉器１のトリップコイル１３に駆動信号を出力して主接触１２を開放させる。
【００１４】
また、電波検知部３においては、アンテナ３０が障害電波を受信し（ステップ１）、この受信された電波にフィルタ回路３１、検波回路３２及び増幅回路３３が所定処理を加えた後に、レベル比較回路３４が基準値と比較し（ステップ２）、基準値より大きいと判断された場合には電波検知信号を出力する。
前記出力された電波検知信号及び駆動信号が制御判断部４に入力され、この制御判断部４は図示を省略する内部メモリに受信した電波の信号レベルを記憶し（ステップ３）、各信号に基づいて地絡継電器２が障害電波による電波検知信号を出力する。制御判断部４は前記地絡継電器２が検出動作を実行した場合（ステップ４）には、電波検知部３から出力された電波検知信号の信号値を表示部５に表示する（ステップ６）。
【００１５】
前記出力された判断結果又は表示部５の表示内容に基づいて電力管理者が開閉器１のトリップ動作が正常か否かを判断する。このトリップ動作が正常であると判断された場合には、地絡事故、その他の事故の原因となる故障を復旧して開閉器１の主接触１２を投入して電力供給を再開する。
また、前記トリップ動作が異常であると判断された場合には、その異常動作の原因が障害電波によるものであることから、電力管理者は事故原因の探査、故障復旧動作を実行することなく開閉器１の主接触１２を投入して迅速に電力供給を再開できることとなる。また、この電力供給の再開の場合は、表示部５の表示内容をリセットして（ステップ５）以降の障害電波に対処する体制を採る。
【００１６】
前記各動作のタイミングチャートは図３に示す通りである。
なお、前記実施形態に係る開閉器の障害電波検出装置においては、電波検知部３がアンテナ３０で外来の電波を受信する構成としたが、図４に示すようにこのアンテナ３０を開閉器１のＺＣＴ１１からの出力線Ｌ11、開閉器１の試験線Ｌ12、開閉器１の制御線Ｌ13、地絡継電器２の電源線Ｌ02で兼用する構成とすることもできる。同図においてこれらの各線路から分岐した各分岐線にフィルタ回路を接続して電波に基づく信号成分のみを検出する構成とすることもできる。
【００１７】
このように地絡継電器２に接続される出力線Ｌ11、試験線Ｌ12、制御線Ｌ13、電源線Ｌ02から混入して地絡継電器２の誤動作の原因となる障害電波を直接検出するようにしているので、地絡継電器２の障害電波を確実且つ正確に検知できることとなる。
また、前記実施形態に係る開閉器の障害電波検出装置においては、電波検知部３が受信した電波に所定の処理をした後に基準値と比較して電波検知信号を出力する構成としたが、地絡事故に基づいて発生する信号の信号レベル又は信号波形を予めデータ化して保持し、これらのデータ化した地絡信号と受信した信号とを比較して異なると判断された場合に電波検知信号を出力する構成とすることもできる。
【００１８】
また、開閉器１のトリップ動作以降においては、前記電波検知部３が出力する電波検知信号を無効とし、又はこの電波検知部３が電波検知信号を出力しないように構成することもできる。このようにトリップ動作以降の電波検知信号を無効（又は出力しない）とすることにより開閉器１の主接触１２がトリップ動作する場合のアークによるノイズ電波を検出しないようにすることができ、トリップ動作直前の障害電波のみを検出してより正確な障害電波の検出が可能となる。
【００１９】
また、地絡継電器２に入力された地絡電流信号波形を、正常な地絡検出動作時の波形データと比較し、障害電波による疑似信号であると判断された場合は、地絡継電器２のトリップ動作を実行させずに、地絡電流を検出する通常の待機状態を保持することもできる。
【００２０】
【発明の効果】
本発明においては、制御手段に混入した電波を電波検知手段が検知して電波検知信号を出力し、この電波検知信号に基づいて制御判断手段が制御手段による開閉器の開放動作の適否を判断するようにしているので、混入した電波による開閉器の障害電波を簡易且つ確実に検出し、開閉器の誤動作原因を判別して復旧の迅速化が図れるという効果を奏する。
【００２１】
また、本発明においては、地絡事故による信号と検知した信号が異なる場合に電波検知手段から電波検知信号を出力するようにしているので、本来の地絡事故を明確に区別できることとなり、より確実に開閉器の誤動作原因を判別できることとなるという効果を有する。
また、本発明においては、開閉器又は制御手段の各線路に混入した電波を検知するようにしているので、開閉器の誤動作の原因となる電波が混入する線路をアンテナとして使用できることとなり、より簡易且つ確実に開閉器の障害電波を検知できるという効果を有する。
【００２２】
本発明においては、電波検知信号の信号レベルを表示し、開閉器の再投入を条件として表示状態をリセットすることにより、開閉器の開放動作の適否を判断した後に自動的に障害電波検出モードに移行できることとなるという効果を有する。
【図面の簡単な説明】
【図１】本発明の一実施形態に係る開閉器の障害電波検出装置の全体ブロック構成図である。
【図２】図１に記載する開閉器の障害電波検出装置の障害電波検出の動作フローチャートである。
【図３】図２に記載するフローチャートに対応する信号タイミングチャートを示す。
【図４】本発明の他の実施形態に係る開閉器の障害電波検出装置の要部ブロック構成図である。
【図５】配電線の異常原因判定装置の全体概略構成図である。
【符号の説明】
１  開閉器
２  地絡継電器
３  電波検知部
４  制御判断部
５  表示部
６  出力部
１１  ＺＣＴ
１２  主接触
１３  トリップコイル
１６  ホストコンピュータ
１７  波形検出装置
１９  ＣＲＴモニタ
２１  地絡電流検出回路
２２  駆動制御部
３０  アンテナ
３１  フィルタ回路
３２  検波回路
３３  増幅回路
３４  レベル比較回路
【図１】
0003750434.tif 000002
【図２】
0003750434.tif 000003
【図３】
0003750434.tif 000004
【図４】
0003750434.tif 000005
【図５】
0003750434.tif 000006